(57)【要約】  端末デバイスで発生するエラーを感知すれば、その感知されたエラーを解消できる一つ以上の代案を表示してこの代案を撮影者に知らせることによって、デバイスの動作原理と各種細部機能とがよく分からない撮影者であっても、その感知されたエラーを容易に解消できる。
2010505326.tif 000002
【特許請求の範囲】
【請求項１】
カメラ機能を持つデバイスにおいて、
前記撮影機能の非正常的な実行を引き起こすエラーを感知し、該感知されたエラーに相応する一つ以上の代案映像を提供する制御部と、
前記一つ以上の代案映像を表示する複数のボタンと、を備えることを特徴とするデバイス。
【請求項２】
前記制御部は、所定の代案映像のうち、前記感知されたエラーに相応する一つ以上の前記代案映像を提供することを特徴とする請求項１に記載のデバイス。
【請求項３】
前記デバイスは、可能な前記エラーをアドレスとして代案情報を保存する代案情報保存部をさらに備え、
前記制御部は、前記感知されたエラーをアドレスとして持つ一つ以上の代案情報を前記保存された代案情報から読み出し、
前記複数のボタンは、前記読み出された代案情報に現れた一つ以上の代案映像を表示することを特徴とする請求項１に記載のデバイス。
【請求項４】
前記制御部は、前記感知されたエラーのあらかじめ定義された一つ以上のエラー発生原因のうち、前記デバイスに該当するエラー発生原因とマッチングされて、あらかじめ設けられた前記代案映像を提供することを特徴とする請求項１に記載のデバイス。
【請求項５】
前記デバイスは、
可能な前記エラーをアドレスとして一つ以上の原因情報を保存する原因情報保存部と、
可能な前記原因情報をアドレスとして代案情報を保存する代案情報保存部と、をさらに備え、
前記制御部は、前記感知されたエラーをアドレスとして持つ一つ以上の原因情報それぞれが前記デバイスの状況に該当するかどうかを検査し、該当すると検査された前記原因情報をアドレスとして持つ代案情報を前記複数のボタンに出力することを特徴とする請求項１に記載のデバイス。
【請求項６】
前記感知されたエラーは、あらかじめ定義された複数の可能なエラーのうち一つであることを特徴とする請求項１に記載のデバイス。
【請求項７】
前記デバイスは、一つのボタン操作に応答して、ボタンのうち一つに表示された代案映像が意味する代案を表示するメイン表示部をさらに備えることを特徴とする請求項１に記載のデバイス。
【請求項８】
前記デバイスは、一つのボタン操作に応答して、ボタンのうち一つに表示された代案映像が意味する代案を自動実行することを特徴とする請求項１に記載のデバイス。
【請求項９】
一つのボタン操作に応答して、ボタンのうち一つに表示された代案映像は点滅することを特徴とする請求項１に記載のデバイス。
【請求項１０】
前記複数のボタンは、複数の前記代案映像をあらかじめ設定された順序によって配置したまま表示することを特徴とする請求項１に記載のデバイス。
【請求項１１】
前記制御部及び前記複数のボタンは、前記デバイスの半シャッター機能が行われた場合に動作することを特徴とする請求項１に記載のデバイス。
【請求項１２】
カメラ機能を持つデバイスにおいて、
前記撮影機能の非正常的な実行を引き起こすエラーを感知し、該感知されたエラーに相応する一つ以上の代案映像を提供する制御部と、
前記提供された代案映像を表示する表示部と、を備えることを特徴とするデバイス。
【請求項１３】
撮影機能を持って複数のボタンを備えたデバイスで行われる表示方法において、
（ａ）前記撮影機能の非正常的な実行を引き起こすエラーを感知するステップと、
（ｂ）前記感知されたエラーに相応する一つ以上の代案映像を前記複数のボタンに表示するステップと、を含むことを特徴とする表示方法。
【請求項１４】
前記（ｂ）ステップは、所定の代案映像のうち、前記感知されたエラーに相応する一つ以上の前記代案映像を表示することを特徴とする請求項１３に記載の表示方法。
【請求項１５】
前記（ｂ）ステップは、
（ｂ１）可能な前記エラーごとにマッチングされて保存された代案情報のうち、前記感知されたエラーにマッチングされた代案情報を読み出すステップと、
（ｂ２）前記読み出された代案情報に現れた一つ以上の代案映像を前記複数のボタンに表示するステップと、を含むことを特徴とする請求項１３に記載の表示方法。
【請求項１６】
前記（ｂ）ステップは、前記感知されたエラーのあらかじめ定義された一つ以上のエラー発生原因のうち、前記デバイスに該当するエラー発生原因とマッチングされてあらかじめ設けられた前記代案映像を表示することを特徴とする請求項１３に記載の表示方法。
【請求項１７】
前記感知されたエラーは、あらかじめ定義された複数の可能なエラーのうち一つであることを特徴とする請求項１３に記載の表示方法。
【請求項１８】
前記表示方法は、一つのボタン操作に応答して、ボタンのうち一つに表示された代案映像が意味する代案を表示するステップをさらに含むことを特徴とする請求項１３に記載の表示方法。
【請求項１９】
前記デバイスは、一つのボタン操作に応答してボタンのうち一つに表示された代案映像が意味する代案を自動実行することを特徴とする請求項１３に記載の表示方法。
【請求項２０】
一つのボタン操作に応答して、ボタンのうち一つに表示された代案映像は点滅することを特徴とする請求項１３に記載の表示方法。
【請求項２１】
前記（ｂ）ステップは、複数の前記代案映像をあらかじめ設定された順序によって配置したまま前記複数のボタンに表示することを特徴とする請求項１３に記載の表示方法。
【請求項２２】
前記表示方法は、前記デバイスの半シャッター機能が行われた場合に動作することを特徴とする請求項１３に記載の表示方法。
【請求項２３】
カメラ機能を持つデバイスで行われる表示方法において、
（ａ）前記撮影機能の非正常的な実行を引き起こすエラーを感知するステップと、
（ｂ）前記感知されたエラーに相応する一つ以上の代案映像を表示するステップと、を含むことを特徴とする表示方法。
【請求項２４】
請求項１３に記載の方法を具現するために、少なくとも一つのプロセッサーを制御するコンピュータで読み取り可能な命令を記録したコンピュータで読み取り可能な少なくとも一つの記録媒体。
【請求項２５】
請求項２３に記載の方法を具現するために、少なくとも一つのプロセッサーを制御するコンピュータで読み取り可能な命令を記録したコンピュータで読み取り可能な少なくとも一つの記録媒体。
【発明の詳細な説明】
【技術分野】
【０００１】
本発明の実施形態は、デジタルカメラのようなデバイスに係り、特に、映像の表示が可能なボタンを備えてカメラ機能を持つデバイス、その表示方法及び記録媒体に関する。
【背景技術】
【０００２】
デジタルカメラは、ハードウェア及びソフトウェア特徴によって使われうる。例えば、カメラにバッテリーに取り付けられていなければ、カメラは撮影を行えない。また、撮影時にカメラのレンズはシャッタースピードの設定値、及びフラッシュのオン／オフ如何によって光に過多あるいは過小露出され、この場合、カメラは全般的に過度に明るいか、過度に暗い写真を撮ってしまう。
【０００３】
従来のカメラは、撮影を行えないか、または撮影者が満足できない写真を撮影できると予想される場合、カメラ上にエラーが存在すると判定し、これを撮影者に知らせる。この場合、撮影者はカメラに備えられたシャッターボタンを操作する前に、バッテリーの装着如何を確認するか、シャッタースピードの設定値を再調整するか、フラッシュのオン／オフ如何を再設定するなど、その判定されたエラーを解消するためにカメラを操作することによって、さらに良好な品質の写真を撮影できる。
【０００４】
高品質の写真を撮影するために要求されるこれらのカメラ操作は、カメラの動作原理及び各種細部機能がよく分からない撮影者に相当な負担でありうる。これにより、撮影者のこのような負担を削減させる方案が求められている。
【発明の概要】
【発明が解決しようとする課題】
【０００５】
ここで議論される実施形態は、カメラの動作原理と各種細部機能とがよく分からない撮影者であっても、カメラに存在するエラーを容易に解消可能にするカメラ機能を持つデバイスを提供する。
【０００６】
ここで議論される実施形態は、カメラの動作原理と各種細部機能とがよく分からない撮影者であっても、カメラに存在するエラーを容易に解消可能にするカメラ機能を持つデバイスで行われる表示方法を提供する。
【課題を解決するための手段】
【０００７】
本発明による実施形態によって、カメラ機能を持つデバイスは、前記撮影機能の非正常的な実行を引き起こすエラーを感知し、該感知されたエラーに相応する一つ以上の代案映像を提供する制御部と、前記一つ以上の代案映像を表示する複数のボタンと、を備える。
【０００８】
本発明による他の実施形態によって、カメラ機能を持つデバイスは、前記撮影機能の非正常的な実行を引き起こすエラーを感知し、該感知されたエラーに相応する一つ以上の代案映像を提供する制御部と、前記提供された代案映像を表示する表示部と、を備える。
【０００９】
本発明による他の実施形態によって、カメラ機能を持つデバイスで行われる表示方法は、前記撮影機能の非正常的な実行を引き起こすエラーを感知するステップと、前記感知されたエラーに相応する一つ以上の代案映像を表示するステップと、を含む。
【００１０】
本発明による他の実施形態によって、写真イメージをキャップチャーするデバイスは、非正常的な撮影実行を引き起こすエラーを感知し、該感知されたエラーに相応する一つ以上の代案映像を提供する制御部と、前記一つ以上の代案映像を表示する少なくとも一つのボタンと、を備える。
【００１１】
本発明による他の実施形態によって、撮影機能を持って複数のボタンを備えたデバイスで行われる表示方法は、前記撮影機能の非正常的な実行を引き起こすエラーを感知するステップと、前記感知されたエラーに相応する一つ以上の代案映像を前記複数のボタンに表示するステップと、を含む。
【００１２】
本発明による他の実施形態によって、写真イメージをキャップチャーするために、少なくとも一つのＤボタンを持つデバイスで行われる表示方法は、（ａ）非正常的な撮影実行を引き起こすエラーを感知するステップと、（ｂ）少なくとも一つのＤボタンに前記感知されたエラーに相応する一つ以上の代案映像を表示するステップと、を含む。
【００１３】
本発明による他の実施形態によって、前記実施形態の方法を具現するためにコンピュータで読み取り可能な命令を保存した少なくとも一つのコンピュータで読み取り可能な記録媒体が提供される。
【発明の効果】
【００１４】
以上で説明したように、実施形態によってカメラ機能を持つデバイス及びその表示方法は、デバイスに存在するエラーを感知すれば、その感知されたエラーを解消できる一つ以上の代案を表示し、この代案を撮影者に知らせることによって、デバイスの動作原理及び各種細部機能がよく分からない撮影者であってもその感知されたエラーを容易に解消できるようにする効果を持つ。このような効果は、カメラに存在するエラーを感知し、これを撮影者に知らせることで済むので、エラーを認識した撮影者が、カメラの動作原理と各種細部機能とがよく分からない撮影者ならば、撮影者にエラーを知らせた実益が全くない従来のカメラからは類推できない効果である。
【００１５】
さらに、本発明はその感知されたエラーを解消できる代案として複数の代案を表示しようとする場合、その感知されたエラーの可能な発生原因のうち、経験的に判断して可能性の高い発生原因に対応した代案を、撮影者の視線が先ず留まると予想される位置に表示する一方、可能性の低い発生原因に対応した代案を、撮影者の視線が後で留まると予想される位置に表示することによって、その感知されたエラーを解消するのにかかる時間を平均的に相当部分短縮させることができる。
【００１６】
同様に、本発明はその感知されたエラーを解消できる代案として複数の代案を表示しようとする場合、その感知されたエラーの解消に効果が大きい代案を、撮影者の視線が先ず留まると予想される位置に表示する一方、効果が少ない代案を、撮影者の視線が後で留まると予想される位置に表示することによって、その感知されたエラーを解消できる代案のうち最も効果的な代案を捜し出すのにかかる時間を平均的に相当部分短縮させることもできる。
【００１７】
一方、本発明はその感知されたエラーがデバイスのソフトウェア上のエラーである場合、デバイスがその表示された代案のうち、撮影者が選択した代案を自動実行するので、撮影者がその感知されたエラーを解消するためにデバイスを煩わしく操作する必要がないので、その感知されたエラーを迅速に解消できる効果も持つ。
【図面の簡単な説明】
【００１８】
特許または出願書ファイルは、カラーで描かれた少なくとも一つの図面を備える。カラー図面が備えられたこの特許または特許出願書の公開本は、要請や必要時に手数料支払により特許庁により提供される。これらの態様、特徴及び長所は関連した図面と共に実施形態の詳細な説明により明確になり、さらに容易に理解されうる。
【図１】一実施形態によるカメラ機能を持つデバイスを説明するためのブロック図である。
【図２Ａ】考慮可能なエラー及び各エラーを解消するための代案の一例を示す表である。
【図２Ｂ】考慮可能なエラー及び各エラーを解消するための代案の一例を示す表である。
【図３Ａ】エラー情報保存部及び原因情報保存部にそれぞれ保存されたエラー情報及び原因情報の例を示す表である。
【図３Ｂ】エラー情報保存部及び原因情報保存部にそれぞれ保存されたエラー情報及び原因情報の例を示す表である。
【図４Ａ】図１に示した代案情報保存部に保存された代案情報の例を示す表である。
【図４Ｂ】図１に示した代案情報保存部に保存された代案情報の例を示す表である。
【図５Ａ】本発明の一実施形態によるカメラ機能を持つデバイス及びその表示方法を概括的に説明するための参考図である。
【図５Ｂ】本発明の一実施形態によるカメラ機能を持つデバイス及びその表示方法を概括的に説明するための参考図である。
【図５Ｃ】本発明の一実施形態によるカメラ機能を持つデバイス及びその表示方法を概括的に説明するための参考図である。
【図５Ｄ】本発明の一実施形態によるカメラ機能を持つデバイス及びその表示方法を概括的に説明するための参考図である。
【図６Ａ】本発明の一実施形態によるカメラ機能を持つデバイス及びその表示方法を、具体的な状況を考慮して説明するための参考図である。
【図６Ｂ】本発明の一実施形態によるカメラ機能を持つデバイス及びその表示方法を、具体的な状況を考慮して説明するための参考図である。
【図６Ｃ】本発明の一実施形態によるカメラ機能を持つデバイス及びその表示方法を、具体的な状況を考慮して説明するための参考図である。
【図６Ｄ】本発明の一実施形態によるカメラ機能を持つデバイス及びその表示方法を、具体的な状況を考慮して説明するための参考図である。
【図６Ｅ】本発明の一実施形態によるカメラ機能を持つデバイス及びその表示方法を、具体的な状況を考慮して説明するための参考図である。
【図７Ａ】本発明の一実施形態によるカメラ機能を持つデバイス及びその表示方法を、具体的な状況を考慮して説明するための参考図である。
【図７Ｂ】本発明の一実施形態によるカメラ機能を持つデバイス及びその表示方法を、具体的な状況を考慮して説明するための参考図である。
【図７Ｃ】本発明の一実施形態によるカメラ機能を持つデバイス及びその表示方法を、具体的な状況を考慮して説明するための参考図である。
【図７Ｄ】本発明の一実施形態によるカメラ機能を持つデバイス及びその表示方法を、具体的な状況を考慮して説明するための参考図である。
【図８Ａ】本発明の一実施形態によるカメラ機能を持つデバイス及びその表示方法を、具体的な状況を考慮して説明するための参考図である。
【図８Ｂ】本発明の一実施形態によるカメラ機能を持つデバイス及びその表示方法を、具体的な状況を考慮して説明するための参考図である。
【図８Ｃ】本発明の一実施形態によるカメラ機能を持つデバイス及びその表示方法を、具体的な状況を考慮して説明するための参考図である。
【図８Ｄ】本発明の一実施形態によるカメラ機能を持つデバイス及びその表示方法を、具体的な状況を考慮して説明するための参考図である。
【図８Ｅ】本発明の一実施形態によるカメラ機能を持つデバイス及びその表示方法を、具体的な状況を考慮して説明するための参考図である。
【図８Ｆ】本発明の一実施形態によるカメラ機能を持つデバイス及びその表示方法を、具体的な状況を考慮して説明するための参考図である。
【図９Ａ】本発明の一実施形態によるカメラ機能を持つデバイス及びその表示方法を、具体的な状況を考慮して説明するための参考図である。
【図９Ｂ】本発明の一実施形態によるカメラ機能を持つデバイス及びその表示方法を、具体的な状況を考慮して説明するための参考図である。
【図９Ｃ】本発明の一実施形態によるカメラ機能を持つデバイス及びその表示方法を、具体的な状況を考慮して説明するための参考図である。
【図９Ｄ】本発明の一実施形態によるカメラ機能を持つデバイス及びその表示方法を、具体的な状況を考慮して説明するための参考図である。
【図１０Ａ】本発明の一実施形態によるカメラ機能を持つデバイス及びその表示方法を、具体的な状況を考慮して説明するための参考図である。
【図１０Ｂ】本発明の一実施形態によるカメラ機能を持つデバイス及びその表示方法を、具体的な状況を考慮して説明するための参考図である。
【図１０Ｃ】本発明の一実施形態によるカメラ機能を持つデバイス及びその表示方法を、具体的な状況を考慮して説明するための参考図である。
【図１０Ｄ】本発明の一実施形態によるカメラ機能を持つデバイス及びその表示方法を、具体的な状況を考慮して説明するための参考図である。
【図１１】本発明の一実施形態による表示方法を説明するためのフローチャートである。
【発明を実施するための形態】
【００１９】
以下、本発明の実施形態について具体的に説明する。それらの例は関連図面内に示され、参照番号は構成要素に付与された。実施形態は図面を参照して後述する。
【００２０】
図１は、本発明の一実施形態によるカメラ機能を持つ端末デバイスを説明するためのブロック図である。図２Ａ及び図２Ｂは、考慮可能なエラー及び各エラーを解消するための代案の一例を示す表である。
【００２１】
図１に示したように、表示部１１０、制御部１４０、保存部１５０、代案実行部１６０は、デジタルカメラのような、カメラ機能を持つ端末デバイスに含まれることが望ましい。ただし、保存部１５０は、かかる端末デバイスの内部に設けられてもよく、かかる端末デバイスとネットワーク上に連結された外部に設けられてもよい。
【００２２】
表示部１１０は、一つ以上のディスプレイパネル（例えば、液晶パネル（ＬＣＤ：Ｌｉｑｕｉｄ  Ｃｒｙｓｔａｌ  Ｄｉｓｐｌａｙｅｒ））を利用して具現され、かかるディスプレイパネルを通じて映像を表示する。説明の便宜のため、表示部１１０は一つのディスプレイパネルを利用して具現されたと仮定する。
【００２３】
これらの表示部１１０は、メイン表示部１２０、及びサブ表示部１３０を備えることができる。すなわち、ディスプレイパネルのあらゆる領域は一部領域と他の一部領域とに区切られ、この場合、その一部領域は、メイン表示部１２０が映像を表示する領域を意味し、その他の一部領域は、サブ表示部１３０が映像を表示する領域を意味する。この時、その一部領域はその他の一部領域より広いことが望ましい。
【００２４】
メイン表示部１２０は、デバイスが撮影可能なデバイス外部の映像（以下、撮影映像）を表示する。具体的に、撮影映像は、デバイスに備えられたレンズを通じて見られるデバイス外部の映像を意味する。
【００２５】
また、メイン表示部１２０は、デバイスのソフトウェア的な状況またはハードウェア的な状況を表すサムネイルイメージを表示できる。
【００２６】
本明細書で、デバイスのソフトウェア的な状況とは、電子的に変更させうる状況を意味する。例えば、デバイスに搭載されたメモリの残っている空間、フラッシュのオン／オフ如何、感度（ＩＳＯ）数値などは、その表示されるソフトウェア的な状況の一例である。ここで、メモリの残っている空間がソフトウェア的な状況である理由は、メモリに保存された既存の写真を削除することによってメモリの残っている空間が変更されるためであり、フラッシュのオン／オフ如何がソフトウェア的な状況である理由は、撮影者がデバイスの操作を通じてフラッシュのオンまたはオフを指示すれば、デバイスはこれらの指示に応じてフラッシュのオン／オフ如何を電子的にトグルさせるためであり、感度数値がソフトウェア的な状況である理由は、撮影者がデバイスの操作を通じて感度数値の調整を指示すれば、デバイスは、これらの指示に応じて感度数値を電子的に調整するためである。
【００２７】
これに対し、本明細書でデバイスのハードウェア的な状況とは、電子的に変更させ得ない状況を意味する。例えば、デバイスにバッテリーが搭載されているかどうか、デバイスにメモリが搭載されているかどうかなどは、ハードウェア的な状況の一例である。ここで、デバイスにバッテリー（または、メモリ）が搭載されているかどうかがハードウェア的な状況である理由は、搭載されたバッテリー（または、メモリ）をデバイスから分離させるか、バッテリー（または、メモリ）をデバイスに装着させるなど、撮影者の行為を通じてのみ変更されうる状況であるためである。
【００２８】
一方、デバイスは複数のボタンを具備することが望ましい。この時、ボタンは、表示機能を持つボタン（以下、Ｄボタン（Ｄｉｓｐｌａｙ（Ｄ）−Ｂｕｔｔｏｎ））でもよく、表示機能を持っていないボタン（以下、表示不可ボタン）でもよい。
【００２９】
サブ表示部１３０は、これらの複数のＤボタン１３０−１，…，１３０−ｎ，…，１３０−Ｎを利用して具現できる。ここで、ｎ及びＮは、１≦ｎ≦Ｎ（ただし、Ｎは、２以上の整数）の整数である。具体的に、サブ表示部１３０は、複数のＤボタン１３０−１，…，１３０−ｎ，…，１３０−Ｎ、すなわち、第１  Ｄボタン１３０−１ないし第Ｎ  Ｄボタン１３０−Ｎと一体化されうる。
【００３０】
制御部１４０は制御信号を生成し、保存部１５０は、‘表示部１１０が表示できるあらゆる映像を表す映像データ’と各種‘エラー関連データ’とを保存する。
【００３１】
制御部１４０は、保存部１５０に保存された映像データのうち、‘ボタンの操作された結果’に相応する映像データを読み出し、制御信号を生成する。本明細書で制御信号とは、保存部１５０に保存された映像データのうち、‘ボタンの操作された結果’に相応する映像データが表す一つ以上の映像の表示を指示する信号を意味する。
【００３２】
ここで、ボタンとは、‘Ｄボタン１３０−１，…，１３０−ｎ，…，１３０−Ｎのうち一つ’を意味することもあり、‘表示不可ボタン’を意味することもある。一方、ボタンの操作された結果とは、‘複数のＤボタン１３０−１，…，１３０−ｎ，…，１３０−Ｎと複数の表示不可ボタンのうちいかなるボタンがどのように操作されたか’及び‘現在の操作直前に操作されたボタンは、どのボタンであるか’という質問に対する答を意味できる。例えば、‘現在第３  Ｄボタン１３０−３が瞬間的に１回加圧され、直前に加圧されたボタンは第２  Ｄボタン１３０−２である’、‘現在第７  Ｄボタン１３０−７が１秒以上継続的に何かと接触しており、直前に接触したボタンは第１  Ｄボタン１３０−１である’、‘シャッターボタンが半分ほど加圧され、直前に加圧されたボタンは第４  Ｄボタン１３０−４である’は、それらの‘ボタンの操作された結果’の一例でありうる。
【００３３】
制御部１４０は、読み出された映像データと生成された制御信号とを表示部１１０に提供する。この場合、メイン表示部１２０は、撮影映像とサムネイルイメージとを制御信号と関係なく表示し、サブ表示部１３０は、その読み出された映像データが表す一つ以上の映像を制御信号に応答して表示する。すなわち、サブ表示部１１０に表示される映像は、Ｄボタンまたは表示不可ボタンが操作される度に、ボタンの操作された結果に相応して更新される。
【００３４】
一方、制御部１４０は、エラー有無検査部１４２、エラー発生原因分析部１４４、代案情報読出部１４６、及び正規映像読出部１４８を備え、保存部１５０はエラー情報保存部１５２、原因情報保存部１５４、代案情報保存部１５６、及び正規映像保存部１５８を備えられるところ、表示部１１０、制御部１４０、及び保存部１５０の動作をさらに具体的に説明すれば、次の通りである。
【００３５】
エラー情報保存部１５２は、デバイスの状況に存在できるあらゆるエラーの内容を保存する。ここで、状況とは、デバイスのハードウェア的な状況でもあり、ソフトウェア的な状況でもある。エラー情報保存部１５２に保存された内容は前述したエラー関連データの一例である。
【００３６】
本明細書でエラーとは、撮影機能の非正常的な実行を引き起こす状況を意味する。具体的に、エラーとは、‘デバイスが撮影を行えないと予想される状況’を意味するか、‘デバイスが、撮影者が満足すべき写真を撮影すると予想される状況’を意味する。以下では、説明の便宜のため、かかるエラーは“撮影自体が不可能である”、“撮影時にデバイスに備えられたレンズが、光に第１基準値（この時、第１基準値はあらかじめ設定された値）より少なく露出される（以下、‘露出不足’）”、“焦点を合わせられない”、“撮影時にデバイスに備えられたレンズが、光に第２基準値（この時、第２基準値はあらかじめ設定された値）より多く露出される（以下、‘露出過剰’）”、“露出不足や露出過剰ではないが、露出状態によって撮影者が満足でない写真を撮影すると予想される（以下、‘露出異常’）”のうち一つであると仮定する（図２Ａ及び図２Ｂ参照）。このように、本発明で考慮できるエラーはいずれも、デバイスを利用して撮影する前に既に定義されていることが望ましい。例えば、‘デバイスに存在できるエラーは、“撮影自体が不可能である”、“露出不足”、“焦点を合わせられない”、“露出過剰”、“露出異常”のうち一つである’とあらかじめ定義できる。しかし、実施形態は前記グループに限定されるものではない。他の可能なエラーが事前に定義されたり、前記グループに追加されうる。
【００３７】
エラー有無検査部１４２は、エラー情報保存部１５２に保存された内容を読み出し、該読み出された内容のエラーがデバイスの状況に存在するかどうかを検査する。前述した家庭によれば、エラー有無検査部１４２は、デバイスの状況に“撮影自体が不可能である”が存在するかどうかを検査し、“露出不足”が存在するかどうかを検査し、“焦点を合わせられない”が存在するかどうかを検査し、“露出過剰”が存在するかどうかを検査し、“露出異常”が存在するかどうかを検査する。
【００３８】
この場合、エラーが存在すると検査されるということは、エラー有無検査部１４２がエラーを感知したことを意味する。
【００３９】
もし、いずれか一つのエラーでも存在すると検査されれば（すなわち、いずれか一つのエラーでも感知されれば）、エラー発生原因分析部１４４は、その感知されたエラーの原因を分析する。このために、撮影者がデバイスを利用して撮影する前に、‘デバイスの状況に存在できるエラー’（以下、‘可能なエラー’という）それぞれに、可能な一つ以上のエラー発生原因があらかじめ定義されていることが望ましい。
【００４０】
具体的に、原因情報保存部１５４は、可能なエラーをアドレスとして、一つ以上の原因情報を保存する。ここで、原因情報はエラー発生原因を表す情報を意味し、前述したエラー関連データの一例である。
【００４１】
エラー発生原因の具体的な例は、次の通りである（図２Ａ及び図２Ｂ参照）。
【００４２】
エラーが“撮影自体が不可能である”ならば、エラー発生原因は“デバイスに搭載されたバッテリーの残余量が足りないこと”でもあり、“デバイスに搭載されたメモリの残余空間が足りないこと”でもあり、“デバイスに搭載されたメモリが初期化されずに使用不可能なこと”でもあり、“デバイスにメモリが搭載されていないこと”でもあり“デバイスに搭載されたメモリに写真を保存できないようにメモリがロックされていること”でもありうる。“撮影自体が不可能である”というエラーの可能なエラー発生原因はこれらの５つに制限されるものではないが、以下、説明の便宜のため、これらの５つの場合のうち少なくとも一つに仮定する。
【００４３】
もし、エラーが“露出不足”ならば、エラー発生原因は“デバイスの手ぶれ防止機能がオフに設定されていること”でもあり、“感度（ＩＳＯ）が低く設定されていること”でもあり、“フラッシュがオフに設定されていること”でもありうる。“露出不足”というエラーの可能なエラー発生原因がこれらの３つに制限されるものではないが、以下説明の便宜のため、これらの３つの場合のうち少なくとも一つに仮定する。
【００４４】
一方、エラーが“焦点を合わせられない”ならば、エラー発生原因は“焦点距離が短く設定されていること”でもあり、“被写体が暗い過ぎること”でもあり、“焦点を合わせるほどの被写体が存在しないこと”でもあり、“ＡＦ（Ａｕｔｏ  Ｆｏｃｕｓ）補助光がオンになっているにもかかわらず、デバイスがＡＦ補助光を感知できないこと”でもありうる。本明細書で、被写体とは、デバイスが主題であると認識した撮影対象を意味するので、背景と逆の意味を持つ。また、ＡＦ補助光とは、夜のように外部光量が足りない時にデバイスが焦点を合わせることを手伝うための発光体である。“焦点を合わせられない”というエラーの可能なエラー発生原因がこれらの４つに制限されるものではないが、以下、説明の便宜のため、これらの４つの場合のうち一つに仮定する。
【００４５】
もし、エラーが“露出異常”ならば、エラー発生原因は“背景に比べて被写体が明るいこと（ただし、測光方式は、スポット方式ではない）”でもあり、“背景に比べて被写体が暗いこと（ただし、測光方式は、スポット方式ではない）”でもあり、“背景に比べて被写体が暗いこと（ただし、フラッシュがオフに設定されている）”でもあり、“露出補正値（ＥＶ：Ｅｘｐｏｓｕｒｅ  Ｖａｌｕｅ）が過度に＋に設定されていること”でもあり、“露出補正値が過度に−に設定されていること”でもあり、“被写体がフラッシュの光が到達され得ない位置にあること”でもありうる。ここで、スポット方式は、撮影対象（すなわち、メイン表示部１２０に表示された撮影映像）の全体を測光する方式ではなく、撮影対象のうち撮影者が指定した部分のみを測光する方式を意味する。一方、露出補正値とは、撮影時に要求される入射光量のあらかじめ設定された値を補正する程度を意味する。例えば、露出補正値が高い数値の正数であるほど、デバイスが写真をさらに明るく撮るようにし、露出補正値が高い数値の負数であるほど、デバイスが写真をさらに暗く撮るようにする。“露出異常”というエラーの可能なエラー発生原因は、これらの６つに制限されるものではないが、以下、説明の便宜のため、これらの６つの場合のうち少なくとも一つに仮定する。
【００４６】
一方、エラーが“露出過剰”ならば、エラー発生原因は“被写体の光量が過多なこと（例えば、被写体が太陽である場合）”を意味できる。“露出過剰”とは、エラーの可能なエラー発生原因がこれに制限されるものではないが、以下、説明の便宜のため、前記場合に仮定する。
【００４７】
エラー発生原因分析部１４４は、エラー有無検査部１４２により感知されたエラーをアドレスとして持つ一つ以上の原因情報を読み出し、該読み出された原因情報のうちデバイスの状況に該当する原因情報を捜し出す。
【００４８】
例えば、感知されたエラーが“撮影自体が不可能である”ならば、エラー発生原因分析部１４４は、エラー発生原因の候補として“デバイスに搭載されたバッテリーの残余量が足りないこと”、“デバイスに搭載されたメモリの残余空間が足りないこと”、“デバイスに搭載されたメモリが初期化されずに使用不可能なこと”、“デバイスにメモリが搭載されていないこと”、“デバイスに搭載されたメモリに写真を保存できないようにメモリがロックされていること”を表す５つの原因情報を読み出す。
【００４９】
この場合、エラー発生原因分析部１４４は、その読み出された原因情報それぞれに、その読み出された原因情報に現れたエラー発生原因がデバイスに該当するかどうか検査する。
【００５０】
この時、その読み出された原因情報が複数の原因情報ならば、その複数の原因情報のうち、先ず検査される原因情報と後ほど検査される原因情報とは何かは、既定されていることが望ましい。具体的に、その複数の原因情報が表す複数のエラー発生原因のうち経験的な数値を利用して判断すれば、可能性の高いエラー発生原因を可能性低いエラー発生原因より先に検査できる。図２Ａ及び図２Ｂに示した数字（Ｎｏ．）は、これらの検査順序を意味する。
【００５１】
もし、バッテリーの残余量が１枚の写真を撮影するにも足りなく、メモリの残余空間が１枚の写真を保存するにも足りなく、メモリに写真を保存できないようにメモリがロックされているならば、“デバイスに搭載されたメモリが初期化されずに使用不可能なこと”、“デバイスにメモリが搭載されていないこと”は、現在のデバイスには該当しないエラー発生原因であるため、エラー発生原因分析部１４４は、その感知されたエラーのエラー発生原因は“デバイスに搭載されたバッテリーの残余量が足りないこと”、“デバイスに搭載されたメモリの残余空間が足りないこと”、“デバイスに搭載されたメモリに写真を保存できないようにメモリがロックされていること”のうち少なくとも一つであると決定する。
【００５２】
これらのエラー発生原因分析部１４４は、その読み出された原因情報に現れたエラー発生原因がデバイスに該当するかどうかを検査するために、デバイスのハードウェア的な状況を分析してもよく、ソフトウェア的な状況を分析してもよい。図２Ａ及び図２Ｂに示したように、“デバイスに搭載されたバッテリーの残余量が足りないこと”、“デバイスに搭載されたメモリの残余空間が足りないこと”、“デバイスに搭載されたメモリが初期化されずに使用不可能なこと”がデバイスに該当するかどうかを検査するためには、デバイスのソフトウェア的な状況を分析せねばならない。これと類似して、“デバイスにメモリが搭載されていないこと”、“デバイスに搭載されたメモリに写真を保存できないようにメモリがロックされていること”がデバイスに該当するかどうかを検査するためには、デバイスのハードウェア的な状況を分析せねばならない。
【００５３】
このように、エラー発生原因分析部１４４がデバイスに該当するエラー発生原因を捜し出せば、代案情報読出部１４６は、その捜し出したエラー発生原因に対応する代案を提供する。一方、撮影者がデバイスを利用して撮影する前に、可能なエラー発生原因それぞれに代案があらかじめ定義されていることが望ましい。
【００５４】
このために、代案情報保存部１５６はエラー発生原因をアドレスとして代案情報を保存する。この時、代案情報は‘代案の細部内容を表すデータ’と‘代案を簡略に表現する映像（以下、代案映像）を表すデータ’とで形成されうる。一方、これらの代案情報は、保存部１５０に保存された映像データの一例である。
【００５５】
代案情報に現れた代案を前述したエラー発生原因と対応させて例示すれば、次の通りである（図２Ａ及び図２Ｂ参照）。
【００５６】
説明の便宜のため、“デバイスに搭載されたバッテリーの残余量が足りないこと”、“デバイスに搭載されたメモリの残余空間が足りないこと”、“デバイスに搭載されたメモリが初期化されずに使用不可能なこと”、“デバイスにメモリが搭載されていないこと”、“デバイスに搭載されたメモリに写真を保存できないようにメモリがロックされていること”というエラー発生原因それぞれの代案は、“デバイスを最大節電モードに進入させる”、“メモリに保存された写真のうち不要な写真を撮影者の指示によって削除する”、“メモリを初期化する”、“デバイスにメモリカードを入れる”、“メモリカードのロックを解除する”とそれぞれ仮定する。
【００５７】
また、“デバイスの手ぶれ防止機能がオフに設定されていること”、“感度（ＩＳＯ）が低く設定されていること”、“フラッシュがオフに設定されていること”というエラー発生原因それぞれの代案は、“デバイスの手ぶれ防止機能をオンに設定する”、“シャッタースピードが６０以上になるように感度（ＩＳＯ）を高めるが、もし、６０以上のシャッタースピード確保が困難であれば、感度を最大に高める”、“フラッシュをオンに設定する”とそれぞれ仮定する。
【００５８】
同様に、“焦点距離が短く設定されていること”、“被写体が暗い過ぎること”、“焦点を合わせるほどの被写体が存在しないこと”、“ＡＦ補助光がオンになっているにもかかわらず、デバイスがＡＦ補助光を感知できないこと”というエラー発生原因それぞれの代案は、“デバイスの接写機能をオンに設定する”、“ＡＦ補助光をつける”、“撮影する被写体を焦点領域内に位置させる”、“ＡＦ補助光が指により覆われているかどうかを確認し、覆われているならば、指をＡＦ補助光から離す”とそれぞれ仮定する。
【００５９】
これと類似して、“背景に比べて被写体が明るいこと（ただし、測光方式はスポット方式ではない）”、“背景に比べて被写体が暗いこと（ただし、測光方式はスポット方式ではない）”、“背景に比べて被写体が暗いこと（ただし、フラッシュがオフに設定されていること）”、“ＥＶが過度に＋に設定されていること”、“露出補正値が過度に−に設定されていること”、“被写体がフラッシュの光が到達できない位置にあること”というエラー発生原因それぞれの代案は、“測光方式をスポット方式に設定する”、“測光方式をスポット方式に設定する”、“フラッシュを強制発光させる（すなわち、フラッシュを常にオンにする）”、“ＥＶを一定数値ほど減少させる”、“露出補正値を一定数値ほどずつ増加させる”、“被写体をフラッシュ到達範囲内に位置させる”とそれぞれ仮定する。
【００６０】
また、“被写体の光量が過多である（例えば、被写体が太陽である場合）”というエラー発生原因の代案は、“被写体を変更する”と仮定する。
【００６１】
代案情報読出部１４６は、エラー発生原因分析部１４４が捜し出した一つ以上のエラー発生原因それぞれに、そのエラー発生原因をアドレスとして持つ代案情報を読み出す。この場合、代案情報読出部１４６は、‘読み出された代案情報に現れた代案映像の表示を指示する制御信号’を生成し、該生成された制御信号をその‘読み出された代案情報’と共にサブ表示部１３０に提供する。場合によって、代案情報読出部１４６は、その‘読み出された代案情報’のうち、選択された代案情報に現れた代案の細部内容を表示することを指示する制御信号を生成し、該生成された制御信号をその選択された代案情報と共にメイン表示部１３０に提供できる。
【００６２】
サブ表示部１３０、すなわち、第１  Ｄボタン１３０−１ないし第Ｎ  Ｄボタン１３０−Ｎは、提供された代案情報が表す一つ以上の代案映像を制御信号に応答して表示する。この場合、撮影者は、その表示された代案映像のうち一つの代案映像を選択できる。このために、撮影者は、選択しようとする代案映像を表示するＤボタン（１３０−１，…，１３０−ｎ，…，１３０−Ｎのうち一つ）を操作する。この時、その操作されたＤボタンは、代案映像を点滅させつつ表示することが望ましい。これにより、撮影者は、自分が選択した代案映像が何かが直観的に分かる。
【００６３】
このように、いずれか一つのＤボタン（１３０−１，…，１３０−ｎ，…，１３０−Ｎのうち一つ）が操作されれば（すなわち、いずれか一つの代案映像が選択されれば）、メイン表示部１２０は、その選択された代案映像が意味する代案の細部内容を制御信号に応答して表示することが望ましい。
【００６４】
例えば、選択された代案が“メモリを初期化する”ならば、メイン表示部１２０は“メモリを初期化する”というメッセージを表示する。同様に、選択された代案が“デバイスの手ぶれ防止機能をオンに設定する”ならば、メイン表示部１２０は、“デバイスの手ぶれ防止機能をオンに設定する”というメッセージを表示する。
【００６５】
これと類似して、選択された代案がそれぞれ“デバイスにメモリカードを入れる”、“メモリカードのロックを解除する”、“撮影する被写体を焦点領域内に位置させる”、“ＡＦ補助光が指で覆われたか確認し、覆われたならば、指をＡＦ補助光から離す”、“被写体をフラッシュ到達範囲内に位置させる”、“被写体を変更する”であるならば、メイン表示部１２０は“メモリカードがありません。メモリカードを入れてください”、“メモリカードがロックされています。ロックを解除してください”、“撮影する被写体を焦点領域内に位置させてください”、“ＡＦ補助光が指などにより覆われたか確認してください”、“被写体をフラッシュ到達範囲である５ｍ以内に入るようにしてください”、“被写体が明るい過ぎです。他の被写体を選択してください”というメッセージをそれぞれメイン表示部１２０に表示する。
【００６６】
一方、エラー有無検査部１４２により、デバイスの状況にどのエラーも存在していないと検査されれば、エラー有無検査部１４２は、正規映像読出部１４８の動作を指示する。この場合、正規映像読出部１４４は、一つ以上の正規映像をサブ表示部１３０に提供する。結局、正規映像とは、エラー有無検査部１４２がエラーを感知していない時にサブ表示部１３０が表示する映像を意味する。メイン表示部１２０は、デバイスのソフトウェア的な状況を表すサムネイルイメージを表示できると言及したことがある。このようにサムネイルイメージで表示されるソフトウェア的な状況を表す映像は、正規映像の一例である。
【００６７】
具体的に、正規映像保存部１５８は、サブ表示部１３０に表示可能なあらゆる正規映像を表すデータを保存する。これらの保存されたデータは、保存部１５０に保存された映像データの一例である。
【００６８】
正規映像読出部１４８は、正規映像保存部１５８に保存されたデータを読み出し、該読み出されたデータをサブ表示部１３０に提供する。これにより、サブ表示部１３０は、その提供されたデータに現れた一つ以上の正規映像を表示する。
【００６９】
代案実行部１６０は、一つ以上の代案映像を表示する一つ以上のＤボタンのうち、撮影者により操作されたＤボタンに表示された代案映像が意味する代案を行う。ただし、代案実行部１６０は、操作されたＤボタンに表示された代案映像が意味する代案が、‘デバイスのソフトウェア的な状況を変更させようとする代案’（図２Ａ及び図２Ｂに示したＮｏ．＝１、２、３、６、７、８、９、１０、１３、１４、１５、１６、１７のうち一つ）の場合に限って動作することが望ましい。これは、操作されたＤボタンに表示された代案映像が意味する代案が、‘デバイスのハードウェア的な状況を変更させようとする代案’（図２Ａ及び図２Ｂに示したＮｏ．＝４、５、１１、１２、１８、１９のうち一つ）ならば、かかる代案はデバイスが電子的に認識して自動実行できず、撮影者の行為により行われる代案であるためである。
【００７０】
一方、前述したエラー発生原因分析部１４４及び原因情報保存部１５４は、図１に示したものとは異なって、デバイスに設けられないこともある。この場合、代案情報保存部１５６は、エラーをアドレスとして代案情報を保存し、代案情報読出部１４６は、エラー有無検査部１４２で感知されたエラーをアドレスとして持つ代案情報を、その保存された代案情報から読み出す。
【００７１】
図３は、図１に示したエラー情報保存部１５４及び原因情報保存部１５６に保存されたエラー情報及び原因情報の一例を示す。図３に表記された‘エラーＮｏ．’、‘代案Ｎｏ．’は、図２Ａ及び図２Ｂに表記された‘Ｎｏ．’と同一である。図３は、前記図１と図２Ａ及び図２Ｂについての説明で言及されたエラー発生原因をさらに具体的に表現している。
【００７２】
例えば、図１と図２Ａ及び図２ＢのＮｏ．＝８は、エラー発生原因が“フラッシュがオフに設定されていること”であると定義するが、図３のＮｏ．＝８は、エラー発生原因を“絞りは最大に開放されており、シャッタースピードは１／３０秒以下に設定されており、デバイスの手ぶれ防止機能がオンに設定されており、感度（ＩＳＯ）が４００ないし８００に設定されており、フラッシュがオフに設定されていること”であるとさらに具体的に定義する。
【００７３】
図４は、図１に示した代案情報保存部１５８に保存された代案情報の一例を示す。図４に表記された‘代案Ｎｏ．’は、図２Ａ及び図２Ｂに表記された‘Ｎｏ．’と同一である。図４は、前記図１と図２Ａ及び図２Ｂについての説明で言及された‘代案’、‘その代案を選択する場合のデバイスの動作’をさらに具体的に表現している。以下、説明すれば、次の通りである。
【００７４】
サブ表示部１３０は、代案情報読出部１４６がサブ表示部１３０に代案映像を提供するまでは、複数の正規映像を表示する。この時、サブ表示部１３０は、総１４個の正規映像を表示しようとする。もし、Ｎ＝１４ならば、サブ表示部１３０はその１４個の正規映像を同時に表示できるが、Ｎが１≦Ｎ≦１３ならば、サブ表示部１３０は、その１４個の正規映像のうちＮ個の正規映像を同時に表示する。ここで、同時に表示されるＮ個の正規映像は、デバイスに備えられたスクロールボタン（例えば、方向キー）を操作することによって変更される。
【００７５】
その１４個の正規映像は“節電モード”、“メモリ確保”、“メモリ初期化”、“メモリ挿入”、“メモリロック”、“手ぶれ防止ＯＮ”、“ＩＳＯ高め”、“フラッシュＯＮ”、“接写撮影ＯＮ”、“ＡＦ補助光確認”、“被写体確認”、“スポット測光”、“フラッシュ強制発光”、“ＥＶ調整”である。
【００７６】
ここで、“節電モード”という正規映像は、デバイスに節電モードで動作することを要求する正規映像を意味し、“メモリ確保”という正規映像は、デバイスにメモリの残余空間を拡張させることを要求する正規映像を意味し、“メモリ初期化”という正規映像は、デバイスにメモリを初期化させることを要求する正規映像を意味し、“メモリ挿入”という正規映像は、撮影者にデバイスにメモリカードを入れることを要求する正規映像を意味し、“メモリロック”という正規映像は、撮影者にメモリカードをロックすることを要求する正規映像を意味し、“手ぶれ防止ＯＮ”という正規映像は、デバイスに手ぶれ防止機能をオンにすることを要求する正規映像を意味し、“ＡＦ補助光確認”という正規映像は、撮影者にＡＦ補助光が指に覆われているか確認することを要求する正規映像を意味し、“被写体確認”という正規映像は、撮影者に被写体の位置を移動させることを要求する正規映像を意味し、“スポット測光”という正規映像は、デバイスに測光モードをスポットモードに変更することを要求する正規映像を意味し、“フラッシュ強制発光”という正規映像は、デバイスにフラッシュを常にオンにすることを要求する正規映像を意味し、“ＥＶ調整”という正規映像は、デバイスに露出補正値を調整することを要求する正規映像を意味する。
【００７７】
このようにサブ表示部１３０が正規映像を表示する場合、撮影者はＤボタンを操作することによって、その表示された正規映像のうち一つの正規映像を選択できる。この場合、メイン表示部１２０は、その選択された正規映像が何かを知らせるサムネイルイメージを表示できる。図４に表記されたＯＳＤ（Ｏｎ  ＳｃｒｅｅｎＤｉｓｐｌａｙ）出力とは、メイン表示部１２０によりディスプレイパネルに表示される映像を意味し、そのサムネイルイメージは、これらのＯＳＤ出力の一例である。ＯＳＤ出力をさらに具体的に説明すれば、次の通りである。
【００７８】
例えば、選択された正規映像が“節電モード”ならば、メイン表示部１２０は、バッテリーを表現するアイコンを点滅させつつ表示できる。また、選択された正規映像が“メモリ確保”、“メモリ初期化”、“メモリ挿入”、または“メモリロック”ならば、メイン表示部１２０は、メモリカードを表現するアイコンを点滅させつつ表示できる。また、選択された正規映像が“手ぶれ防止ＯＮ”ならば、メイン表示部１２０は、手ぶれ防止機能を表現するアイコンを点滅させつつ表示できる。
【００７９】
同様に、選択された正規映像が“ＩＳＯ高め”ならば、メイン表示部１２０は現在のＩＳＯ値を点滅させつつ表示できる。また、選択された正規映像が“フラッシュＯＮ”、または“フラッシュ強制発光”ならば、メイン表示部１２０は、フラッシュを表現するアイコンを点滅させつつ表示できる。また、選択された正規映像が“接写撮影ＯＮ”、“ＡＦ補助光確認”、または“被写体確認（ただし、Ｎｏ．＝１１）”ならば、メイン表示部１２０は、ＡＦポイント（ただし、ＡＦポイントとは、デバイスが焦点を合わせるところにおいて基準になる位置を表示する点を意味する）を点滅させつつ表示できる。
【００８０】
これと類似して、選択された正規映像が“スポット測光”ならば、メイン表示部１２０は、測光モードを表現するアイコンを点滅させつつ表示できる。また、選択された正規映像が“ＥＶ調整”ならば、メイン表示部１２０は、現在の露出補正値を点滅させつつ表示できる。また、選択された正規映像が“被写体確認（ただし、Ｎｏ．＝１９）”ならば、メイン表示部１２０は、現在の絞りの開閉数値とシャッタースピード値とを点滅させつつ表示できる。
【００８１】
一方、代案情報読出部１４６が一つ以上の代案映像をサブ表示部１３０に提供すれば、サブ表示部１３０が表示する映像は、前述した正規映像から代案映像に変更される。すなわち、代案情報読出部１４６が一つ以上の代案映像をサブ表示部１３０に提供すれば、サブ表示部１３０は一つ以上の代案映像を表示する。
【００８２】
次いで、撮影者がＮｏ．＝１に該当する代案映像が表示されたＤボタンを操作すれば、デバイスは最大節電モードによって動作する。具体的に、メイン表示部１２０は“最大節電モードに変更しました。”というメッセージを表示すると同時に、バッテリーを表現するアイコンの色相を赤色系列に変更する。また、代案実行部１６０は、メイン表示部１２０に表示される撮影映像の全体的な輝度を可能な最低に設定し、フラッシュとＡＦ補助光とをオフにする。
【００８３】
もし、撮影者がＮｏ．＝２に該当する代案映像が表示されたＤボタンを操作すれば、メイン表示部１２０は“撮影を続けるために、バックアップしたり、誤って撮った写真を削除してください。”というメッセージを表示する。このように、メイン表示部１２０がメッセージを表示すれば、デバイスはＭｕｌｔｉ  Ｄｅｌｅｔｅモードによって動作する。Ｍｕｌｔｉ  Ｄｅｌｅｔｅモードとは、デバイスが“保存された写真をメイン表示部１２０を通じて表示し、撮影者に各写真の削除如何を尋ねて、撮影者から削除を指示されれば、その写真を削除する”モードを意味する。
【００８４】
一方、撮影者がＮｏ．＝３に該当する代案映像が表示されたＤボタンを操作すれば、メイン表示部１２０は“メモリが初期化されていません。メモリを初期化してください。”というメッセージを表示する。このように、メイン表示部１２０がメッセージを表示すれば、デバイスはフォーマットモードによって動作する。フォーマットモードとは、デバイスがメモリを初期化させるモードを意味する。
【００８５】
また、撮影者がＮｏ．＝４に該当する代案映像が表示されたＤボタンを操作すれば、メイン表示部１２０は“メモリが入っていません。メモリを挿入してください。”というメッセージを表示する。このように、メイン表示部１２０がメッセージを表示すれば、デバイスは待機モードによって動作する。待機モードとは、デバイスがいかなる動作も行っていないモードを意味する。デバイスが待機モードによって動作する場合、メイン表示部１２０は、撮影映像を含むいかなる映像も表示しないことが望ましい。このようにデバイスが待機モードによって動作する時、撮影者はデバイスにメモリカードを入れることができる。
【００８６】
一方、撮影者がＮｏ．＝５に該当する代案映像が表示されたＤボタンを操作すれば、メイン表示部１２０は“メモリがロックされています。メモリロックを解除してください。”というメッセージを表示する。このように、メイン表示部１２０がメッセージを表示すれば、デバイスは待機モードによって動作する。このようにデバイスが待機モードによって動作する時、撮影者はデバイスのメモリロックボタンを操作してメモリロックを解除できる。
【００８７】
もし、撮影者がＮｏ．＝６に該当する代案映像が表示されたＤボタンを操作すれば、代案実行部１６０は、デバイスの手ぶれ防止機能をオンさせ、メイン表示部１２０は、手ぶれ防止機能を表現するアイコンの点滅を中止する。
【００８８】
一方、撮影者がＮｏ．＝７に該当する代案映像が表示されたＤボタンを操作すれば、代案実行部１６０はＩＳＯ値を増加させ、メイン表示部１２０はその増加したＩＳＯ値を表示する。
【００８９】
また、撮影者がＮｏ．＝８に該当する代案映像が表示されたＤボタンを操作すれば、代案実行部１６０はフラッシュをオンにし、メイン表示部１２０はフラッシュを表現するアイコンの点滅を中止する。
【００９０】
もし、撮影者がＮｏ．＝９に該当する代案映像が表示されたＤボタンを操作すれば、代案実行部１６０はデバイスの接写撮影機能をオンにし、メイン表示部１２０はＡＦポイントの点滅を中止する。
【００９１】
一方、撮影者がＮｏ．＝１０に該当する代案映像が表示されたＤボタンを操作すれば、メイン表示部１２０はＡＦポイントの点滅を中止する。
【００９２】
また、撮影者がＮｏ．＝１１に該当する代案映像が表示されたＤボタンを操作すれば、メイン表示部１２０は“撮影する被写体を焦点領域内に位置させてください。”というメッセージを表示して、ＡＦポイントの点滅を中止する。
【００９３】
もし、撮影者がＮｏ．＝１２に該当する代案映像が表示されたＤボタンを操作すれば、メイン表示部１２０は“ＡＦ補助光が指で覆われたか、そうでなければ被写体がＡＦ補助光を外れたか確認してください。”というメッセージを表示し、ＡＦポイントの点滅を中止する。
【００９４】
一方、撮影者がＮｏ．＝１３、または１４に該当する代案映像が表示されたＤボタンを操作すれば、代案実行部１６０は、測光モードをスポットモードに設定し、メイン表示部１２０は、スポットモードを表現するアイコンを表示する。
【００９５】
また、撮影者がＮｏ．＝１５に該当する代案映像が表示されたＤボタンを操作すれば、代案実行部１６０はフラッシュをオンにし、メイン表示部１２０は、フラッシュがオンになっていることを表現するアイコンを表示する。
【００９６】
もし、撮影者がＮｏ．＝１６に該当する代案映像が表示されたＤボタンを操作すれば、代案実行部１６０はＥＶを減少させ、メイン表示部１２０はその減少した露出補正値を表示する。
【００９７】
一方、撮影者がＮｏ．＝１７に該当する代案映像が表示されたＤボタンを操作すれば、代案実行部１６０は露出補正値を増加させ、メイン表示部１２０はその増加した露出補正値を表示する。
【００９８】
また、撮影者がＮｏ．＝１８に該当する代案映像が表示されたＤボタンを操作すれば、メイン表示部１２０は“被写体をフラッシュ到達範囲である５ｍ以内に入るようにしてください。”というメッセージを表示する。
【００９９】
もし、撮影者がＮｏ．＝１９に該当する代案映像が表示されたＤボタンを操作すれば、メイン表示部１２０は“被写体が明るい過ぎです。他の被写体を選択してください。”というメッセージを表示する。次いで、撮影者が被写体を変更して、エラー有無検査部１４２がこれ以上“露出過剰”というエラーを感知できなければ、メイン表示部１２０は、絞りの開閉数値とシャッタースピード値との点滅を中止する。
【０１００】
図５Ａないし５Ｄは、一実施形態によるカメラ機能を持つデバイス及びその表示方法を概括的に説明するための参考図である。
【０１０１】
図５Ａに示したところによれば、デバイス５１０に備えられた液晶パネル５３０は撮影映像を表示し、Ｄボタン５４０ないし５４８は５個の正規映像Ｍｅｎｕ  １ないしＭｅｎｕ  ５を表示する。ここで、液晶パネル５３０は、メイン表示部１２０が映像を表示する領域を意味し、Ｄボタン５４０ないし５４８が表示する正規映像の数は５個に制限されない。
【０１０２】
撮影者は、デバイス５１０に備えられた液晶パネル５３０に表示される撮影映像の観察中に撮影しようとする撮影映像を見つけることができ、この場合、シャッターボタン５２０を操作（例えば、加圧）する。この時、シャッターボタン５２０を完全に押せば、デバイス５１０は、その加圧当時に表示中の撮影映像を撮影する。しかし、シャッターボタン５２０を半分ほど押して、デバイス５１０がいわゆる半シャッター機能を行えば、エラー有無検査部１４２が動作する。
【０１０３】
それにより、デバイス５１０のハードウェア的またはソフトウェア的な状況にいかなるエラーが存在すると感知されれば、Ｄボタン５４０ないし５４４は図５Ｂに示したように、三個の代案映像（代案１ないし代案３）を表示する。ここで、その感知されたエラーに対応する代案映像の数は３個に制限されない。
【０１０４】
このように表示された代案映像のうち、撮影者が“代案１”という代案映像を選択すれば、“代案１”という代案映像が点滅することが望ましい。これらの点滅は、その選択された代案映像“代案１”が表す代案の実行が完了するまで続く。
【０１０５】
一方、代案の実行は、次のように行われる。もし、その選択された代案映像“代案１”が表す代案がデバイス５１０のハードウェア的な状況を変更することを要求すれば、その代案は撮影者により行われることが望ましい。それに対し、その選択された代案映像“代案１”が表す代案が、デバイス５１０のソフトウェア的な状況を変更することを要求すれば、デバイス５１０がその代案を自動で行うことが望ましい。
【０１０６】
その選択された代案映像“代案１”が表す代案がデバイス５１０のソフトウェア的な状況を変更することを要求すれば、その代案を行いつつ、液晶パネル５３０は“代案１が活性化されました。”のようなメッセージを、図５Ｃに示したように表示することが望ましい。ここで、“代案１が活性化なりました”とは、“代案１を行う”を意味する。
【０１０７】
一方、代案が行われた後、エラー有無検査部１４２は、その感知されたエラーが解消されたかどうかを検査する。
【０１０８】
もし、その感知されたエラーが解消されたと検査されれば、Ｄボタン５４０ないし５４８は、図５Ｄに示したように、正規映像を再び表示する。撮影者はその感知されたエラーがいずれも解消されたと検査された場合に限り、シャッターボタン５２０を完全に押して写真を撮影することが望ましい。
【０１０９】
それに対し、その感知されたエラーがまだ解消されていないと検査されれば、Ｄボタン５４０、５４２は、以前に選択された代案映像“代案１”はこれ以上表示せず、その以前に選択された代案映像を除外した他の代案映像“代案２”、“代案３”を表示できる。この場合、撮影者はその表示された代案映像のうち一つの代案映像を選択した後、その選択された代案映像が意味する代案が行われれば、エラー有無検査部１４２は、その感知されたエラーの解消如何を再び検査する。
【０１１０】
図６Ａないし図１０それぞれは、本発明の一実施形態によるカメラ機能を持つデバイス及びその表示方法を、具体的な状況を考慮して説明するための参考図である。
【０１１１】
具体的に、図６Ａないし図６Ｅは、“撮影自体が不可能である”というエラーが存在する場合の本発明を説明するための参考図である。
【０１１２】
図６Ａに示したように、液晶パネル５３０は撮影映像を表示し、Ｄボタン５４０ないし５４８は、正規映像“Ｐｌａｙ  Ｍｏｄｅ”、“Ｆｌａｓｈ  Ｏｆｆ”、“Ｍａｃｒｏ  Ｏｆｆ”、“Ｓｉｚｅ  ５Ｍ”、“Ｑｕａｌｉｔｙ  Ｆｉｎｅ”を表示する。本明細書で、“Ｐｌａｙ  Ｍｏｄｅ”は、デバイス５１０の動作モードを設定することを要求する正規映像であり、“Ｆｌａｓｈ  Ｏｆｆ”は、フラッシュのオン／オフ如何を設定することを要求する正規映像であり、“Ｍａｃｒｏ  Ｏｆｆ”は、デバイス５１０の接写機能のオン／オフ如何を設定することを要求する正規映像であり、“Ｓｉｚｅ  ５Ｍ”は、撮影する写真の容量を設定することを要求する正規映像であり、“Ｑｕａｌｉｔｙ  Ｆｉｎｅ”は、撮影する写真の解像度を設定することを要求する正規映像である。
【０１１３】
この場合、撮影者がシャッターボタン５２０を半分ほど押せば、エラー有無検査部１４２は、デバイスのハードウェア的またはソフトウェア的な状況でのエラーの有無を検査する。もし、エラー有無検査部１４２が感知したエラーが“撮影自体が不可能である”ならば、Ｄボタン５４０は、“メモリ挿入”という代案映像を、図６Ｂに示したように表示できる。
【０１１４】
次いで、撮影者がそのＤボタン５４０を操作すれば、液晶パネル５３０は“メモリが入っていません。メモリを挿入してください。”というメッセージを図６Ｃに示したように表示し、その操作されたＤボタン５４０は“メモリ挿入”という代案映像を点滅させつつ表示する。
【０１１５】
次いで、デバイス５１０は待機モードによって動作する。このようにデバイス５１０が待機モードによって動作すれば、液晶パネル５３０とＤボタン５４０ないし５４８いずれも図６Ｄに示したように、何の映像も表示しないことがある。この時、撮影者はメモリカード６１０をデバイス５１０に入れることが望ましい。
【０１１６】
このようにメモリカード６１０がデバイス５１０に装着されれば、液晶パネル５３０は撮影映像を表示し、エラー有無検査部１４２はその感知されたエラーが解消されたか検査する。もし、その感知されたエラーが解消されたと検査されれば、Ｄボタン５４０ないし５４８は図６Ｅに示したように、正規映像を再び表示する。撮影者は、この状態でシャッターボタン５２０を完全に押して写真を撮影することが望ましい。
【０１１７】
図７Ａないし図７Ｄは、“露出不足”というエラーが存在する場合の本発明を説明するための参考図である。
【０１１８】
図７Ａに示したところによれば、液晶パネル５３０は撮影映像を表示し、Ｄボタン５４０ないし５４８は、正規映像“Ｐｌａｙ  Ｍｏｄｅ”、“Ｆｌａｓｈ  Ｏｆｆ”、“Ｍａｃｒｏ  Ｏｆｆ”、“Ｓｉｚｅ  ５Ｍ”、“Ｑｕａｌｉｔｙ  Ｆｉｎｅ”を表示する。
【０１１９】
この場合、撮影者がシャッターボタン５２０を半分ほど押せば、エラー有無検査部１４２は、デバイスのハードウェア的またはソフトウェア的な状況でのエラーの有無を検査する。もし、エラー有無検査部１４２が感知したエラーが“露出不足”ならば、Ｄボタン５４０ないし５４４は“手ぶれ防止ＯＮ”、“ＩＳＯ高め”、“Ｆｌａｓｈ  ＯＮ”という代案映像を、図７Ｂに示したように表示できる。
【０１２０】
このように、Ｄボタンが複数の代案映像を表示しようとすれば、Ｄボタンは、その感知されたエラーの可能なエラー発生原因のうち、経験的に判断して可能性の高いエラー発生原因（例えば、“デバイス５１０の手ぶれ防止機能がオフに設定されていること”）に対応した代案映像を、撮影者の視線が先ず留まると予想される位置（例えば、Ｄボタン５４０）に表示する一方、可能性の低いエラー発生原因（例えば、“フラッシュがオフに設定されていること”）に対応した代案映像を、撮影者の視線が後で留まると予想されるは位置（例えば、Ｄボタン５４８）に表示することによって、その感知されたエラーを解消するのにかかる時間を平均的に相当部分短縮させることができる。
【０１２１】
同様に、Ｄボタンが複数の代案映像を表示しようとすれば、Ｄボタンは、実験的に判断してその感知されたエラーの解消に効果が大きい代案（例えば、“デバイス５１０の手ぶれ防止機能をオンに設定する”）を表す代案映像を、撮影者の視線が先ず留まると予想される位置（例えば、Ｄボタン５４０）に表示する一方、効果の少ない代案（例えば、“フラッシュをオンにする”）を表す代案映像を、撮影者の視線が後で留まると予想される位置（例えば、Ｄボタン５４８）に表示することによって、その感知されたエラーの解消にかかる時間を平均的に相当部分短縮させることができる。
【０１２２】
一方、撮影者がＤボタン５４０を操作して“手ぶれ防止ＯＮ”という代案映像を選択すれば、その操作されたＤボタン５４０は、“手ぶれ防止ＯＮ”という代案映像を点滅させつつ表示する。
【０１２３】
この場合、デバイス５１０は、手ぶれ防止機能を自動でオンにし、液晶パネル５３０は“手ぶれ防止機能が活性化されました。”というメッセージを、図７Ｃに示したように表示する。これにより、その選択された代案映像“手ぶれ防止ＯＮ”に現れた代案が行われた後、“手ぶれ防止ＯＮ”という代案映像の点滅が中止する。
【０１２４】
このように、その選択された代案映像“手ぶれ防止ＯＮ”に現れた代案の実行が完了すれば、エラー有無検査部１４２は、その感知されたエラーが解消されたか検査する。もし、その感知されたエラーが解消されたと検査されれば、Ｄボタン５４０ないし５４８は、図７Ｄに示したように、正規映像を再び表示する。撮影者はこの状態でシャッターボタン５２０を完全に押して、写真を撮影することが望ましい。
【０１２５】
図８Ａないし図８Ｆは、“露出不足”というエラーが存在する場合の本発明を説明するための他の参考図である。
【０１２６】
図８Ａに示したように、液晶パネル５３０は撮影映像を表示し、Ｄボタン５４０ないし５４８は正規映像“Ｐｌａｙ  Ｍｏｄｅ”、“Ｆｌａｓｈ  Ｏｆｆ”、“Ｍａｃｒｏ  Ｏｆｆ”、“Ｓｉｚｅ  ５Ｍ”、“Ｑｕａｌｉｔｙ  Ｆｉｎｅ”を表示する。
【０１２７】
この場合、撮影者がシャッターボタン５２０を半分ほど押せば、エラー有無検査部１４２は、デバイスのハードウェア的またはソフトウェア的な状況でのエラーの有無を検査する。もし、エラー有無検査部１４２が感知したエラーが“露出不足”ならば、Ｄボタン５４０ないし５４４は“ＩＳＯ高め”、“Ｆｌａｓｈ  ＯＮ”という代案映像を、図８Ｂに示したように表示できる。図７Ａないし図７Ｄの場合に感知されたエラーと図８Ａないし図８Ｆの場合に感知されたエラーとが同一であるにもかかわらず、図７Ａないし図７Ｄのデバイス５１０の状況と図８Ａないし図８Ｆのデバイス５１０の状況とは相異なりうるので、表示される代案映像は、図７の場合と図８の場合とがこのように相異なりうる。
【０１２８】
次いで、撮影者がＤボタン５４０を操作して“ＩＳＯ高め”という代案映像を選択すれば、その操作されたＤボタン５４０は“ＩＳＯ高め”という代案映像を点滅させつつ表示する。
【０１２９】
この場合、デバイス５１０は、感度（ＩＳＯ）値を一定数値ほど自動で高め、液晶パネル５３０は“ＩＳＯを８００に高めました。”というメッセージを、図８Ｃに示したように表示する。これにより、その選択された代案映像“ＩＳＯ高め”に現れた代案が行われた後、“ＩＳＯ高め”という代案映像の点滅は中止する。ここで、８００は、説明の便宜上導入された数値にすぎない。
【０１３０】
このように、その選択された代案映像“ＩＳＯ高め”に現れた代案の実行が完了すれば、エラー有無検査部１４２は、その感知されたエラーが解消されたか検査する。もし、その感知されたエラーが解消されていないと検査されれば、Ｄボタンは、以前に選択された代案映像“ＩＳＯ高め”はこれ以上表示せず、その以前に選択された代案映像を除外した他の代案映像“Ｆｌａｓｈ  ＯＮ”を、図８Ｄに示したように表示できる。この時、代案映像の表示される位置は変更されることが望ましい。例えば、“Ｆｌａｓｈ  ＯＮ”という代案映像は、図８ＢではＤボタン５４２に表示されたが、図８ＤではＤボタン５４０に表示される。
【０１３１】
次いで、撮影者がＤボタン５４０を操作して“Ｆｌａｓｈ  ＯＮ”という代案映像を選択すれば、その操作されたＤボタン５４０は、“Ｆｌａｓｈ  ＯＮ”という代案映像を点滅させつつ表示する。
【０１３２】
この場合、デバイス５１０はフラッシュを自動でつける。このように、その選択された代案映像“Ｆｌａｓｈ  ＯＮ”に現れた代案の実行が完了すれば、液晶パネル５３０は“フラッシュがオンになりました。”というメッセージを、図８Ｅに示したように表示し、“Ｆｌａｓｈ  ＯＮ”という代案映像の点滅を中止する。
【０１３３】
このように、その選択された代案映像“Ｆｌａｓｈ  ＯＮ”に現れた代案の実行が完了すれば、エラー有無検査部１４２は、その感知されたエラーが解消されたか再び検査する。ただし、“フラッシュをつけることによって、その感知されたエラーが解消されたか”は、写真を実際撮影して初めて分かるので、エラー有無検査部１４２は、“フラッシュがオンになりました。”というメッセージを見た撮影者がシャッターボタン５２０を完全に押して写真を撮影して初めて再び度動作できる。一方、その撮影された写真は、図８Ｆに示したように液晶パネル５３０に表示されうる。これにより、撮影者は“フラッシュをつけることによって、その感知されたエラーが解消されたか”を肉眼で確認することもできる。
【０１３４】
図９Ａないし図９Ｄは、“焦点を合わせられない”というエラーが存在する場合の本発明を説明するための参考図である。
【０１３５】
図９Ａに示したように、液晶パネル５３０は撮影映像を表示し、Ｄボタン５４０ないし５４８は、正規映像“Ｐｌａｙ  Ｍｏｄｅ”、“Ｆｌａｓｈ  Ｏｆｆ”、“Ｍａｃｒｏ  Ｏｆｆ”、“Ｓｉｚｅ  ５Ｍ”、“Ｑｕａｌｉｔｙ  Ｆｉｎｅ”を表示する。
【０１３６】
この場合、撮影者がシャッターボタン５２０を半分ほど押せば、エラー有無検査部１４２は、デバイスのハードウェア的またはソフトウェア的な状況でのエラーの有無を検査する。もし、エラー有無検査部１４２が感知したエラーが“焦点を合わせられない”ならば、Ｄボタン５４０は“接写撮影ＯＮ”という代案映像を、図９Ｂに示したように表示できる。
【０１３７】
“焦点を合わせられない”というエラーの可能な代案には、“デバイス５１０の接写機能をオンに設定する”、“ＡＦ補助光をつける”、“撮影する被写体を焦点領域内に位置させる”、“ＡＦ補助光が指により覆われたかどうかを確認し、覆われたならば、指をＡＦ補助光から離す”などがある。それにも拘わらず、Ｄボタンは、図９Ｂに示したように、一つの代案映像“接写撮影ＯＮ”のみを表示している。これは、図９Ａに示したように、デバイス５１０のＡＦ補助光は既にオンになっており、撮影する被写体は既に焦点領域中に位置しており、ＡＦ補助光が何かにより覆われてもおらず、デバイスの接写機能はオフに設定されているためである。
【０１３８】
一方、撮影者がＤボタン５４０を操作して“接写撮影ＯＮ”という代案映像を選択すれば、その操作されたＤボタン５４０は“接写撮影ＯＮ”という代案映像を点滅させつつ表示する。
【０１３９】
この場合、デバイス５１０は、接写機能を自動でオンにし、液晶パネル５３０は、“‘接写撮影’機能が活性化されました。”というメッセージを、図９Ｃに示したように表示する。これにより、その選択された代案映像“接写撮影ＯＮ”に現れた代案（“デバイス５１０の接写機能をオンに設定する”）が行われた後、“接写撮影ＯＮ”という代案映像の点滅は中止する。
【０１４０】
このように、その選択された代案映像“接写撮影ＯＮ”に現れた代案の実行が完了すれば、エラー有無検査部１４２は、その感知されたエラーが解消されたか検査する。もし、その感知されたエラーが解消されたと検査されれば、Ｄボタン５４０ないし５４８は、図９Ｄに示したように正規映像を再び表示する。撮影者はこの状態でシャッターボタン５２０を完全に押して写真を撮影することが望ましい。
【０１４１】
図１０Ａないし図１０Ｄは、“露出異常”というエラーが存在する場合の本発明を説明するための参考図である。
【０１４２】
図１０Ａに示したように、液晶パネル５３０は撮影映像を表示し、Ｄボタン５４０ないし５４８は、正規映像“Ｐｌａｙ  Ｍｏｄｅ”、“Ｆｌａｓｈ  Ｏｆｆ”、“Ｍａｃｒｏ  Ｏｆｆ”、“Ｓｉｚｅ  ５Ｍ”、“Ｑｕａｌｉｔｙ  Ｆｉｎｅ”を表示する。
【０１４３】
この場合、撮影者がシャッターボタン５２０を半分ほど押せば、エラー有無検査部１４２は、デバイスのハードウェア的またはソフトウェア的な状況でのエラーの有無を検査する。もし、エラー有無検査部１４２が感知したエラーが“露出異常”ならば、Ｄボタン５４０、５４２は、“スポット測光”、“フラッシュ強制発光”という代案映像を、図１０Ｂに示したように表示できる。
【０１４４】
一方、撮影者がＤボタン５４０を操作して“スポット測光”という代案映像を選択すれば、その操作されたＤボタン５４０は、“スポット測光”という代案映像を点滅させつつ表示する。
【０１４５】
この場合、デバイス５１０は、デバイス５１０の測光モードをスポットモードに自動設定し、液晶パネル５３０は“スポット測光に変わりました。”というメッセージを、図１０Ｃに示したように表示する。これにより、その選択された代案映像“スポット測光”に現れた代案“デバイス５１０の測光モードをスポットモードに設定する”が行われた後、“スポット測光”という代案映像の点滅が中止する。
【０１４６】
このように、その選択された代案映像“スポット測光”に現れた代案の実行が完了すれば、エラー有無検査部１４２は、その感知されたエラーが解消されたか検査する。もし、その感知されたエラーが解消されたと検査されれば、Ｄボタン５４０ないし５４８は、図１０Ｄに示したように正規映像を再び表示する。撮影者は、この状態でシャッターボタン５２０を完全に押して写真を撮影することが望ましい。
【０１４７】
図１１は、一実施形態による表示方法を説明するためのフローチャートであり、カメラ機能を持つデバイスに存在するエラーを感知すれば、その感知されたエラーを解消できる一つ以上の代案を表示して、この代案を撮影者に知らせるステップ（第１１１０〜第１１３２ステップ）でなる。
【０１４８】
撮影者がシャッターボタンを半分ほど押して、デバイスが半シャッター機能を行えば（第１１１０ステップ）、制御部１４０は、デバイスのハードウェア的またはソフトウェア的な状況でのエラーの有無を判断する（第１１１２ステップ）。
【０１４９】
第１１１２ステップでエラーが存在すると判断されれば、制御部１４０は、第１１１２ステップで感知されたエラーに相応する一つ以上の代案映像を、保存部１５０に保存された代案映像から読み出す（第１１１４ステップ）。
【０１５０】
第１１１４ステップ後に、一つ以上のＤボタンは、第１１１４ステップで読み出された一つ以上の代案映像を表示し（第１１１６ステップ）、撮影者は、第１１１６ステップで表示された一つ以上の代案映像のうち一つの代案映像を選択する（第１１１８ステップ）。
【０１５１】
第１１１８ステップ後に、制御部１４０は、第１１１２ステップで存在すると判断されたエラーが、デバイスのハードウェア的な状況に存在するエラーであるか、そうでなければ、ソフトウェア的な状況に存在するエラーであるかを判断する（第１１２０ステップ）。
【０１５２】
第１１２０ステップでハードウェア的エラーであると判断されれば、メイン表示部１２０は、第１１１８ステップで選択された代案映像が意味する代案をメッセージ形態に表示し（第１１２２ステップ）、撮影者は、第１１２２ステップで表示された代案によって措置を行う（第１１２４ステップ）。
【０１５３】
それに対して、第１１２０ステップでソフトウェア的エラーであると判断されれば、メイン表示部１２０は、第１１１８ステップで選択された代案映像が意味する代案をメッセージ形態に表示し（第１１２６ステップ）、デバイスは、第１１２２ステップで表示された代案を自動で行う（第１１２８ステップ）。第１１２８ステップは、図示されたように第１１２６ステップ後に行われてもよく、図示されたものとは異なって、第１１２６ステップと同時に行われてもよく、第１１２６ステップ以前に行われてもよい。
【０１５４】
第１１２４ステップまたは第１１２８ステップ後に、制御部１４０は、第１１１２ステップで存在すると判断されたエラーが解消されたか判断する（第１１３０ステップ）。
【０１５５】
第１１３０ステップで解消されたと判断されれば、Ｄボタンは正規映像を表示し、撮影者は、Ｄボタンに表示される映像が代案映像から正規映像に変わったことを確認して初めて、写真を撮影する（第１１３２ステップ）。
【０１５６】
それに対し、第１１３０ステップで解消されていいないと判断されれば、第１１１８ステップに進む。一方、第１１１２ステップでエラーが存在していないと判断されれば、第１１３２ステップに進む。
【０１５７】
前述した実施形態に加えて、実施形態はコンピュータで読み取り可能な記録媒体に記録されたコンピュータで読み取り可能なコード／命令を行うことによって具現できる。これらの記録媒体はコンピュータで読み取り可能なコード／命令を保存または伝送することを許容するいかなる媒体にも対応できる。記録媒体はまた、コンピュータで読み取り可能なコード／命令、データファイル、データ構造などの単独または結合も含まれる。コード／命令の例は、コンピュータにより生成される機械コード、コンピュータデバイス及びインタープリターを使用することにより行われるハイレベルコードを含むファイルいずれも含む。さらにコード／命令は、機能的なプログラム及びコードセグメントを含むことができる。
【０１５８】
コンピュータで読み取り可能なコード／命令は、多様な方法で媒体に保存または伝送される。これらの多様な方法の例は、磁気記録媒体（例えば、フロッピー（登録商標）ディスク、ハードディスク、磁気テープなど）、光学媒体（例えば、ＣＤ−ＲＯＭ、ＤＶＤなど）、光−磁気媒体（例えば、フロプティカルディスク、ハードウェア保存装置（例えば、読み取り専用メモリ媒体、ランダムアクセスメモリ媒体、フラッシュメモリなど）及びコンピュータで読み取り可能なコード／命令、データファイル、データ構造などを含む信号を伝送するキャリアウェーブのような保存／伝送媒体である。保存及び伝送媒体の例は、有線または無線伝送媒体も含まれうる。また、これらの媒体は分散されて、コンピュータで読み取り可能なコード／命令が分散された形態で保存または伝送されたり、行われうる。コンピュータで読み取り可能なコード／命令は、一つまたはそれ以上のプロセッサーにより行われる。コンピュータで読み取り可能なコード／命令はまた、少なくとも一つのＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）またはＦＰＧＡ（Ｆｉｅｌｄ  Ｐｒｏｇｒａｍｍａｂｌｅ  Ｇａｔｅ  Ａｒｒａｙ）で行われるか、または具現されうる。
【０１５９】
また、一つまたはそれ以上のソフトウェアモジュールまたはハードウェアモジュールが、前述した実施形態を動作させるために具現される。
【０１６０】
ここで使われた“モジュール”という用語は、特定作業を行う一つのソフトウェア構成要素、一つのハードウェア構成要素、複数のソフトウェア構成要素、複数のハードウェア構成要素、一つのソフトウェア構成要素と一つのハードウェア構成要素との結合、複数のソフトウェア構成要素と複数のハードウェア構成要素との結合に限定されるものではない。モジュールはアドレス指定の可能な保存媒体に常駐するように有利に設定され、一つまたはそれ以上のプロセッサーで行われるように設定される。したがって、モジュールは構成要素、ソフトウェア構成要素のようなもの、アプリケーション特定ソフトウェア構成要素、客体志向ソフトウェア構成要素、クラス構成要素及び作業構成要素、プロセス、関数、動作、実行スレッド、属性、プロシージャ、サブルーチン、プログラムコードのセグメント、ドライバー、ファームウェアー、マイクロコード、回路、データ、データベース、データ構造、テーブル、アレイ、及び変数を含むことができる。構成要素またはモジュール内で提供される機能性は、さらに少ない構成要素またはモジュールに結合されるか、追加的な構成要素またはモジュールにさらに分離される。さらに、構成要素またはモジュールはデバイス内に提供される少なくとも一つのプロセッサー（例えば、ＣＰＵ）を動作させることができる。また、ハードウェア構成要素の例は、ＡＳＩＣ及びＦＰＧＡを含む。以上で説明したように、モジュールはソフトウェア構成要素及びハードウェア構成要素の結合を意味できる。これらのハードウェア構成要素は、一つまたはそれ以上のプロセッサーになりうる。
【０１６１】
コンピュータで読み取り可能なコード／命令及びコンピュータで読み取り可能な媒体は、実施形態を具現するための目的で特別に設計されて構築され、またはコンピュータハードウェアまたはコンピュータソフトウェア分野の当業者に公知のものであって利用可能なものになりうる。
【０１６２】
たとえ実施形態が現れており、かつ記述されているとしても、当業者ならば、これらの実施形態、特許請求の範囲及びこれと同じ程度で定義される範囲内で変更を加えることができる。
【図１】
2010505326.tif 000003
【図２Ａ】
2010505326.tif 000004
【図２Ｂ】
2010505326.tif 000005
【図３Ａ】
2010505326.tif 000006
【図３Ｂ】
2010505326.tif 000007
【図４Ａ】
2010505326.tif 000008
【図４Ｂ】
2010505326.tif 000009
【図５Ａ】
2010505326.tif 000010
【図５Ｂ】
2010505326.tif 000011
【図５Ｃ】
2010505326.tif 000012
【図５Ｄ】
2010505326.tif 000013
【図６Ａ】
2010505326.tif 000014
【図６Ｂ】
2010505326.tif 000015
【図６Ｃ】
2010505326.tif 000016
【図６Ｄ】
2010505326.tif 000017
【図６Ｅ】
2010505326.tif 000018
【図７Ａ】
2010505326.tif 000019
【図７Ｂ】
2010505326.tif 000020
【図７Ｃ】
2010505326.tif 000021
【図７Ｄ】
2010505326.tif 000022
【図８Ａ】
2010505326.tif 000023
【図８Ｂ】
2010505326.tif 000024
【図８Ｃ】
2010505326.tif 000025
【図８Ｄ】
2010505326.tif 000026
【図８Ｅ】
2010505326.tif 000027
【図８Ｆ】
2010505326.tif 000028
【図９Ａ】
2010505326.tif 000029
【図９Ｂ】
2010505326.tif 000030
【図９Ｃ】
2010505326.tif 000031
【図９Ｄ】
2010505326.tif 000032
【図１０Ａ】
2010505326.tif 000033
【図１０Ｂ】
2010505326.tif 000034
【図１０Ｃ】
2010505326.tif 000035
【図１０Ｄ】
2010505326.tif 000036
【図１１】
2010505326.tif 000037
【国際調査報告】
2010505326.tif 000038
2010505326.tif 000039